(57)【特許請求の範囲】
【請求項１】
器具本体と、前記器具本体の下端部に設けられ筒状のヒートシンクの先端が突出したヒートシンク部と、前記ヒートシンクの内底部に取付けられて前記ヒートシンクに収納されたランプソケットと、前記ランプソケットに装着されて少なくとも前記ランプソケット側が前記ヒートシンクで囲まれたランプベース部を有するランプと、前記ヒートシンクを挿通する孔を形成した頂部を有し前記頂部が前記ヒートシンク部に着脱可能に取付けられて前記ランプの周囲を囲む反射鏡とを備え、前記反射鏡の前記頂部がランプベース部のランプソケット側に位置する照明器具。
【請求項２】
前記ヒートシンクの表面に塗装を施した請求項１記載の照明器具。
【発明の詳細な説明】
【０００１】
【発明の属する技術分野】
この発明は、ダウンライト、可変配光型照明器具などに適用される照明器具に関するものである。
【０００２】
【従来の技術】
第１の従来例を図５に示す。すなわち、この照明器具は天井５０への埋め込み型であり、有天筒形の器具本体５１の内天面にランプソケット５２を設け、ランプソケット５２にランプ５４のランプベース部５３を装着し、ランプ５４の周囲を囲むように反射鏡５５を設けている。５７は安定器である。
【０００３】
第２の従来例を図６に示す。すなわち、第１の従来例と比較して、ランプベース部５３が反射鏡５５の外に位置している。その他第１の従来例と共通する部分に同一符号を付している。
【０００４】
【発明が解決しようとする課題】
しかし、第１の従来例は、ランプベース部５３の温度上昇を低減するため、反射鏡５５のランプ５４が通過する部分の開口径Ａを大きくとり、空気の対流を促進させている。このため、反射面積が減少し器具効率が低下する。器具効率を高めるには器具が大型化するという問題があった。
【０００５】
第２の従来例は、ランプベース部５３を反射鏡５５外に配置しているため、反射面積が減少し器具効率が低下する。
【０００６】
したがって、この発明の目的は、反射鏡の開口径を大きくすることなくランプベース部の温度上昇を抑制できる照明器具を提供することである。
【０００７】
【課題を解決するための手段】
請求項１記載の照明器具は、器具本体と、前記器具本体の下端部に設けられ筒状のヒートシンクの先端が突出したヒートシンク部と、前記ヒートシンクの内底部に取付けられて前記ヒートシンクに収納されたランプソケットと、前記ランプソケットに装着されて少なくとも前記ランプソケット側が前記ヒートシンクで囲まれたランプベース部を有するランプと、前記ヒートシンクを挿通する孔を形成した頂部を有し前記頂部が前記ヒートシンク部に着脱可能に取付けられて前記ランプの周囲を囲む反射鏡とを備え、前記反射鏡の前記頂部がランプベース部のランプソケット側に位置するものである。
【０００８】
請求項１記載の照明器具によれば、ランプベース部をヒートシンクで囲んだため、ランプ光熱によるランプベース部の温度上昇を抑制でき、反射鏡の開口径を大きくする必要がないので反射面積を増大でき器具効率を向上できる。
【０００９】
請求項２記載の照明器具は、請求項１において、前記ヒートシンクの表面に塗装を施したものである。
【００１０】
請求項２記載の照明器具によれば、請求項１と同様な効果がある。
【００１１】
【発明の実施の形態】
この発明の第１の実施の形態を図１から図３により説明する。すなわち、この照明器具は、器具本体１と、ランプ２と、反射鏡３とを有する。
【００１２】
器具本体１は、ランプソケット４およびこのランプソケット４を囲むヒートシンク５を設けている。実施の形態の器具本体１は例えば円筒などの筒形であり、上端部が天井６の下面に取付けられ、下端部にヒートシンク部７を例えばねじ８により一体に設けている。このヒートシンク部７に略筒状の複数（例えば３個）のヒートシンク５を周方向に等間隔に設け、各ヒートシンク５の内底部にランプソケット４を取付ている。ヒートシンク５は略円筒形であるが、その下端部の一部は凹み５ａを形成している。またヒートシンク５の表面には塗装を施している。例えば塗装により反射率を高めると器具効率が高まる。また黒系の塗装により吸熱がよくなるので温度上昇低減になる。ヒートシンク５に加わる熱は外部に放熱されまたは器具本体１に伝熱され、器具本体１内には安定器１１を含む点灯装置が内蔵されている。
【００１３】
ランプ２は、ランプソケット４に装着されて少なくともランプソケット４側がヒートシンク５で囲まれたランプベース部１３を有する。実施の形態ではランプベース部１３の全周囲がヒートシンク５により覆われている。また図３において、ａはランプベース部１３の上端部とヒートシンク５の内底部との間の寸法、ｂはヒートシンク５の高さ、ｃはランプベース部１３の下端部とヒートシンク５の内底部との間の寸法である。図３に示すようにａ＜ｂ＜ｃの関係、すなわちヒートシンク５の下端はランプベース部１３の最上部と最下部の間に位置するのが好ましい。
【００１４】
反射鏡３は、器具本体１に設けられてランプ２の周囲を囲む。実施の形態の反射鏡３は下端開口側の径が大きいラッパ状の筒形であり、上端部にヒートシンク５を挿通する孔１２を形成し、上端部をつまみねじ１５によりヒートシンク部７に取付けている。反射鏡３と器具本体１との間またランプソケット４の周辺に放熱孔はなく、反射鏡３内すなわちランプ室内の器具下面からの空気の対流はない。また反射鏡３の上端部の一部はヒートシンク５の凹み５ａに係合している。
【００１５】
第１の実施の形態によれば、ランプベース部１３をヒートシンク５で囲んだため、ランプ光熱によるランプベース部１３の温度上昇を抑制でき、反射鏡３の開口径を大きくする必要がないので反射面積を増大でき器具効率を向上できる。
【００１６】
片口金型コンパクト蛍光ランプの場合、ランプベース部１３の温度低下により、ランプ最冷点の温度も低減することになり、ランプの発光効率が上がり器具効率も上昇する。
【００１７】
蛍光灯ランプの場合、上記したように反射鏡３と器具本体１との間、またランプソケット４の周辺に放熱孔はなく、器具下面からの対流はないため、冷風による照度低下を防止できる。
【００１８】
この発明の第２の実施の形態を図４により説明する。すなわち、この照明器具は、天井埋め込み型であり、有天筒型の器具本体１の内天面にランプソケット４を取付け、ランプソケット４の全周囲を囲むように筒状のヒートシンク５の上端部を器具本体１の天面に例えばねじ８により取付けて密着している。また反射鏡３はヒートシンク５を挿通する孔１８を上端部に形成し、取付部材１７を介して器具本体１に取付けられている。この取付部材１７は弾性体たとえばばねであり上端が器具本体１に取付けられてヒートシンク５の内側に配置され、下端の屈曲部１７ａがヒートシンク５を貫通して孔１８に係止しこれにより反射鏡３を引っ掛け保持している。２０は天井埋め込み穴、２１は器具本体１の側面に設けられた天井取付具である。
【００１９】
その他第１の実施の形態と共通する部分に同一符号を付している。
【００２０】
【発明の効果】
請求項１記載の照明器具によれば、ランプベース部をヒートシンクで囲んだため、ランプ光熱によるランプベース部の温度上昇を抑制でき、反射鏡の開口径を大きくする必要がないので反射面積を増大でき器具効率を向上できる。
【００２１】
請求項２記載の照明器具によれば、請求項１と同様な効果がある。
【図面の簡単な説明】
【図１】この発明の第１の実施の形態の一部破断断面図である。
【図２】図１を下から見た底面図である。
【図３】図１の部分拡大図である。
【図４】第２の実施の形態の反射鏡を半断面した断面図である。
【図５】第１の従来例の反射鏡を半断面した断面図である。
【図６】第２の従来例の反射鏡の側面図である。
【符号の説明】
１    器具本体
２    ランプ
３    反射鏡
４    ランプソケット
５    ヒートシンク
１３    ランプベース部
【図１】
0004013019.tif 000002
【図２】
0004013019.tif 000003
【図３】
0004013019.tif 000004
【図４】
0004013019.tif 000005
【図５】
0004013019.tif 000006
【図６】
0004013019.tif 000007